(57)【要約】【課題】  照度センサの測定レンジが意図しない測定レンジに切り替わることはなく、適切な測定レンジに設定でき、さらにはレイアウト変更等による被照射面の反射率の変化が生じても被照射面の明るさを一定に制御可能な照明制御装置を提供する。【解決手段】  照明制御装置１において、照度センサ１ｂは、複数の測定レンジを切替可能な測定レンジ切替部１ｎを具備し、測定レンジ設定部１ｉは、ユーザが操作部１ｆを操作した場合に、光源１ｄを所定の点灯電力で点灯させ、このときの被照射面の照度が測定可能な測定レンジに測定レンジ切替部１ｎを固定する。【選択図】図１
2008010202.tif 000002
【特許請求の範囲】
【請求項１】
点灯電力を供給されて点灯する光源と、光源により照明される被照射面の照度を反射光により測定する照度センサと、光源に供給する点灯電力を制御する制御部と、照度センサの測定値を点灯電力で除した演算値のうち所定期間内における最小の演算値を記憶する記憶部とを備えて、制御部は、前記最小の演算値に基づいて目標照度を設定し、照度センサの測定値が当該目標照度となるように光源に供給する点灯電力を制御する照明制御装置において、
照度センサの測定レンジを複数の測定レンジから切替可能に選択する測定レンジ切替部と、
ユーザの操作によって、光源を所定の点灯電力で点灯させ、このときの被照射面の照度が測定可能な測定レンジに測定レンジ切替部を固定する測定レンジ設定部と
を備えることを特徴とする照明制御装置。
【請求項２】
照度センサの測定値が前記固定された測定レンジを超えた場合、照度センサの測定値を点灯電力で除する演算は行われないことを特徴とする請求項１記載の照明制御装置。
【請求項３】
前記測定レンジ設定部は、複数の測定レンジのうち、光源を所定の点灯電力で点灯させたときの照度センサの測定値が測定上限値と測定下限値の中心値近傍となる測定レンジに固定することを特徴とする請求項１記載の照明制御装置。
【発明の詳細な説明】
【技術分野】
【０００１】
本発明は、照明制御装置に関するものである。
【背景技術】
【０００２】
従来から、光源により照明される机上面、床面等の被照射面の照度を反射光によって測定する照度センサと、照度センサが測定した照度レベルを記憶する記憶部と、被照射面の照度が目標レベルとなる方向に明るさフィードバック制御を行う制御部とを備えた照明装置に関する発明は多く成されている（例えば、特許文献１参照）。
【０００３】
図６は、明るさフィードバック制御を行う従来の照明装置の構成を示しており、天井面に設置した調光端末１１と、調光端末１１によって光出力を制御される照明器具１２とで構成される。この照明装置は、壁に設けた窓Ｗ等の開口部から光が入射する環境に設置され、このような環境条件下で外光利用による省エネルギーを目的とした照明制御を行う。
【０００４】
図７は、調光端末１１、照明器具１２の各構成を示すブロック図であり、調光端末１１は、制御部１１ａと、照度センサ１１ｂと、記憶部１１ｃと、リモコン送受信部１１ｄとを備え、照明器具１２は、光源１２ａと、光源１２ａへ点灯電力を供給する点灯回路１２ｂとを備える。
【０００５】
調光端末１１の照度センサ１１ｂは、固有の光学系を有して一定の視野の照度を常時測定し、測定した照度を電圧信号に変換して制御部１１ａへ連続してセンサ電圧として出力する。この電圧信号は、照度から一意に決定され、照度と略比例の関係にある。ここで、図６において天井面に設置した調光端末１１の真下には机Ｄが配置されており、照度センサ１１ｂには、照明器具１１の光源１１ａが発する光Ｈ１ａにより照明される机上面からの反射光Ｈ１ｂと、窓Ｗを介した外光Ｈ２ａにより照明される机上面からの反射光Ｈ２ｂとが入射する。
【０００６】
記憶部１１ｃには、机上面の目標照度に対応したセンサ電圧の目標値（以後、目標センサ電圧と称す）が１点記憶されており、この目標センサ電圧は、外部のリモコン送信器（図示なし）からの目標値設定信号をリモコン送受信部１１ｄが受け取り、記憶部１１ｃに格納される。
【０００７】
そして、制御部１１ａは、記憶部１１ｃから目標センサ電圧を読み出し、照度センサ１１ｂから送信されるセンサ電圧がこの目標センサ電圧となるように光源１２ａに供給する点灯電力を制御する。具体的には、調光端末１１の制御部１１ａから照明器具１２の点灯回路１２ｂへＰＷＭ信号が送信され、点灯回路１２ｂは、このＰＷＭ信号に応じた点灯電力を光源１２ａへ供給しており、制御部１１ａはＰＷＭ信号のパルス幅を変化させることで、光源１２ａの光出力を変化させている。なお、本発明において点灯電力は、光源に供給されている電力を光源の定格電力で除した値（０〜１００％）で表す。
【０００８】
図８は、照度センサ１１ｂが出力するセンサ電圧と、光源１２ａに供給される点灯電力との関係を示しており、特性Ｙ１１（実線）は外光のない環境においての相関を示し、特性Ｙ１２（破線）は外光の入射が比較的少ない環境においての相関を示し、特性Ｙ１３（一点鎖線）は外光の入射が比較的多い環境においての相関を示している。例えば、目標センサ電圧をＶｐとすると、外光がない環境では光源１２ａを７０％の点灯電力で点灯させることで、光源１２ａによる反射光Ｈ１ｂのみでセンサ電圧が目標センサ電圧Ｖｐに一致する。この状態で外光が少量入射すると、外光による反射光Ｈ２ｂが加わるため、センサ電圧は目標センサ電圧Ｖｐを上回る。そこで、調光端末１１の制御部１１ａは、外光による反射光Ｈ２ｂに相当する分、光源１２ａに供給する点灯電力を減少させることで、センサ電圧が目標センサ電圧Ｖｐとなるように制御する。すなわち、図８では点灯電力を５０％に設定する。外光が多量入射した場合も同様であり、センサ電圧が目標センサ電圧Ｖｐを維持するように、点灯電力を４５％に設定する。このように、天井面の照度センサ１１ｂのセンサ電圧を一定に維持することで、所定の明るさを保ちつつ、外光を利用した省エネルギーの照明制御を行う。
【０００９】
しかしながら、上記照明装置では、リモコン送信器等の外部設定手段によって、照明制御ブロック毎に施工者が目標値を設定する必要がある。また、レイアウト変更等があると環境条件が変わって、被照射面の反射率が変化するため、適切な明るさを確保するには目標値を再度設定する必要があった。
【００１０】
そこで、上記問題を解決するために、以下の照明制御装置が提案された。図９に示すように、照明制御装置２１は天井面に設置されて、制御部２１ａと、照度センサ２１ｂと、記憶部２１ｃと、光源２１ｄと、光源２１ｄに点灯電力を供給する点灯回路２１ｅとを備える。
【００１１】
まず、電源を最初に投入する出荷時状態において、照明制御装置２１の制御部２１ａは、光源２１ｄを所定の点灯電力、例えば７０％の点灯電力で点灯させる。このとき、制御部２１ａは、照度センサ２１ｂのセンサ電圧、および点灯電力（０％〜１００％）を所定間隔で取得し、得られたセンサ電圧を点灯電力で除した値（以後、演算値と称す）を算出する。
［演算値］＝［センサ電圧／点灯電力］
そして、この通電期間中（電源投入〜電源停止に至る期間）における演算値の最小値（演算最小値）を記憶部２１ｃに記憶させる。ここで、演算値が最小になるのは、外光がなくてセンサ電圧が最小となる夜間である。
［演算最小値］＝Ｍｉｎ［センサ電圧／点灯電力］
【００１２】
そして、次回の通電期間においては、前回の通電期間に取得した演算最小値に、明るさフィードバック制御上限値を乗じた値を目標センサ電圧に設定し、明るさフィードバック制御を行う。
［目標センサ電圧］＝Ｍｉｎ［センサ電圧／点灯電力］×[明るさフィードバック制御上限値]
ここで、明るさフィードバック制御上限値とは、時間経過による光源２１ａの光束減退（図１０（ａ）参照）を補正して略一定の設計照度Ｐ（図１０（ｃ）参照）を補償できる特性を有する出力曲線のことであり、図１０（ｂ）に示すように出荷時の７０％から寿命末期時の１００％に向かって累積点灯時間の増大に伴い増加する関数で、光源に供給される点灯電力の上限値を累積点灯時間に応じて示している。なお、この明るさフィードバック制御上限値の特性は記憶部２１ｃに格納されている。
【００１３】
この制御ロジックでは、外光のない夜間時に、照度センサ２１ｂに入射する光が減少してセンサ電圧が最小になるとともに、点灯電力が増加して明るさフィードバック制御上限値（当初は約７０％）に設定されるため、演算値は夜間において最小になる。このとき、［夜間の点灯電力］＝［明るさフィードバック制御上限値］であるので、最小演算値に明るさフィードバック制御上限値を乗ずれば、
[目標センサ電圧]＝［夜間の約７０％の点灯電力によるセンサ電圧］
となる。
【００１４】
そして以降は、電源投入毎に、そのときの累積点灯時間に応じたフィードバック制御上限値を用いて、上記同様に目標センサ電圧を計算し、制御部２１ａは、センサ電圧がこの目標センサ電圧を維持するように点灯電力を制御する。
【００１５】
また、目標センサ電圧を求めるために明るさフィードバック制御上限値を乗ずることには、もう１つ理由がある。仮に外光のない夜間に明るさフィードバック制御によって、明るさフィードバック制御上限値にて決められている上限である７０％まで点灯電力が上昇せず、例えば６５％までしか上昇しなかった場合、そのときの演算最小値は、
［演算最小値］＝Ｍｉｎ［６５％の点灯電力によるセンサ電圧／点灯電力（＝６５％）］
となり、この演算最小値に基づいて、次回の通電期間における目標センサ電圧を決定すると、
［目標センサ電圧］＝［６５％の点灯電力によるセンサ電圧／点灯電力（＝６５％）］×[明るさフィードバック制御上限値（＝７０％）]
となる。
【００１６】
すなわち、点灯電力とセンサ電圧との比例関係が成立していれば、前回の通電期間における点灯電力６５％での演算最小値に明るさフィードバック制御上限値を乗ずることによって、点灯電力７０％による演算最小値に基づく目標センサ電圧に補正され、次回の通電期間に用いることができる。（例えば、特許文献２参照）
【００１７】
上記特許文献２のような制御を行うメリットとして、レイアウト変更等で環境条件が変わって、机上面、床面等の反射率が変化した場合においても、レイアウト変更後の夜間の演算最小値を取得することで、その演算最小値を基に翌日または翌々日の電源投入時にはレイアウト変更に対応した目標センサ電圧を設定できる点がある。すなわち、特許文献１のように目標値を設定するのに人の手を煩わせることなく、照明装置が演算値を取得し、翌日または翌々日の電源投入時に目標センサ電圧を自動的に設定することができる。
【００１８】
上記図９に示す従来技術において、照度センサ２１ｂは測定した照度を電圧信号に変換し、制御部２１ａは当該電圧信号を増幅して、ＣＰＵ等で構成される制御部２１ａで認識可能なセンサ電圧に増幅するが、設計の段階で照度センサ２１ｂの受光面で検知する照度とセンサ電圧とが１：１の対応となるように、図１１に示すような比例関係の相関特性を有する設計を行っている（以後、この相関特性を測定レンジ特性と称す）。このことによって、明るさフィードバック制御を行う際に、制御部２１ａは、机上面の反射光（すなわち、天井面の照度）に基づくセンサ電圧を、机上面照度として認識する。そして、設定された目標センサ電圧に現在のセンサ電圧が近付くように点灯電力を制御する。
【００１９】
ここで、実現したい机上面照度は一般に商品仕様から決定されるもので、設定可能な照度範囲が広ければ、当然様々な用途に適用できる。しかし、ＣＰＵ等で構成される制御部２１ａが認識可能なセンサ電圧の範囲は、一般に０〜Ｖｃｃ（Ｖｃｃは、ＣＰＵの電源電圧）であり、設定可能な机上面照度の最大値に電源電圧Ｖｃｃを対応させる必要がある。
【００２０】
そこで、机上面照度を一定にする明るさフィードバック制御を実現する上で考慮すべき天井面照度の範囲を１００〜７００ｌｘ（ルクス）に設定した場合、図１１に示すように天井面照度１００ｌｘをセンサ電圧ＶＬに対応させ、天井面照度７００ｌｘをセンサ電圧ＶＨ（＞ＶＬ）に対応させ、さらに、目標センサ電圧に対して±５％の補正幅±Ｖａ内にセンサ電圧が存在するときは同一照度とみなす。このとき、センサ電圧ＶＨ×１．０５が電源電圧Ｖｃｃとなる。そして制御部２１ａは、このセンサ電圧ＶＬ〜ＶＨの範囲で、目標センサ電圧の設定、および明るさフィードバック制御を行うことができる。
【００２１】
しかしながら、明るさフィードバック制御を行う上で照度の設定範囲を広くすると、制御部２１ａで明るさフィードバック制御を行う際の分解能が十分に確保できず、精度の高い制御を実現できない。
【００２２】
そこで、複数の測定レンジを有して測定レンジを切り替え可能な照度センサを用いて、電源投入時に現在の環境条件下での被照射面の照度を測定し、当該測定結果から適当な測定レンジを決定し、次の電源投入時までは、今回の電源投入時に決定した測定レンジでセンサ電圧を出力する構成が提案されている。
【特許文献１】特開平１１−１８５９７４号公報
【特許文献２】特開２００６−４０７３１号公報
【発明の開示】
【発明が解決しようとする課題】
【００２３】
しかしながら、複数の測定レンジを切り替えて設定可能な照度センサを用いて、電源投入毎に照度センサの測定レンジの設定を行うと、環境条件によっては電源投入時に意図しない測定レンジの切替が行われる虞があり、下記のような弊害が考えられる。
【００２４】
まず、電源投入時に測定レンジの切替が行われると、照度センサによって測定される照度（センサ電圧）を基に演算される目標センサ電圧も測定レンジ切替時に異なる値に設定しなければならない。例えば、図１２に示す３つの測定レンジＲＡ１１，ＲＡ１２，ＲＡ１３において（測定レンジが狭い順に、ＲＡ１１，ＲＡ１２，ＲＡ１３）、同一センサ電圧であっても、測定レンジが異なると対応する机上面照度は異なる。測定レンジＲＡ１１で目標センサ電圧Ｖｐが設定された場合に対応する机上面照度はＩ１１であるが、次回の電源投入時に測定レンジＲＡ１２に切り替わったとすると、目標センサ電圧Ｖｐは、測定レンジＲＡ１１よりも明るい机上面照度Ｉ１２として認識されるため、必要以上に点灯電力を大きくする制御が行われる。さらに次回の電源投入時に測定レンジＲＡ１３に切り替わったとすると、目標センサ電圧Ｖｐは、測定レンジＲＡ１２よりも明るい机上面照度Ｉ１３として認識されるため、やはり点灯電力は大きくなる。
【００２５】
したがって、電源投入時に意図しない測定レンジの切替が行われて、目標センサ電圧が高めに設定された場合は、必要以上に点灯電力が大きくなってエネルギー消費が大きくなり、一方、目標センサ電圧が低めに設定された場合は、点灯電力が小さくなってユーザに暗く感じさせてしまい、本来期待される明るさフィードバック制御が行われないという課題があった。
【００２６】
本発明は、上記事由に鑑みてなされたものであり、その目的は、照度センサの測定レンジが意図しない測定レンジに切り替わることはなく、適切な測定レンジに設定でき、さらにはレイアウト変更等による被照射面の反射率の変化が生じても被照射面の明るさを一定に制御可能な照明制御装置を提供することにある。
【課題を解決するための手段】
【００２７】
請求項１の発明は、点灯電力を供給されて点灯する光源と、光源により照明される被照射面の照度を反射光により測定する照度センサと、光源に供給する点灯電力を制御する制御部と、照度センサの測定値を点灯電力で除した演算値のうち所定期間内における最小の演算値を記憶する記憶部とを備えて、制御部は、前記最小の演算値に基づいて目標照度を設定し、照度センサの測定値が当該目標照度となるように光源に供給する点灯電力を制御する照明制御装置において、照度センサの測定レンジを複数の測定レンジから切替可能に選択する測定レンジ切替部と、ユーザの操作によって、光源を所定の点灯電力で点灯させ、このときの被照射面の照度が測定可能な測定レンジに測定レンジ切替部を固定する測定レンジ設定部とを備えることを特徴とする。
【００２８】
この発明によれば、ユーザの操作によって照度センサの測定レンジの設定動作が行われるので、測定レンジが意図しない測定レンジに切り替わることはなく適切な測定レンジに設定でき、またレイアウト変更等による被照射面の反射率の変化が生じた場合には測定レンジの再設定をして適切な目標照度を設定できるので、レイアウト変更等による被照射面の反射率の変化が生じても被照射面の明るさを一定に制御できる。
【００２９】
請求項２の発明は、請求項１において、照度センサの測定値が前記固定された測定レンジを超えた場合、照度センサの測定値を点灯電力で除する演算は行われないことを特徴とする。
【００３０】
この発明によれば、次回の電源投入時に不適切な目標照度が設定されることを防止できる。
【００３１】
請求項３の発明は、請求項１において、前記測定レンジ設定部は、複数の測定レンジのうち、光源を所定の点灯電力で点灯させたときの照度センサの測定値が測定上限値と測定下限値の中心値近傍となる測定レンジに固定することを特徴とする。
【００３２】
この発明によれば、制御の分解能を十分に確保でき、明るさフィードバック制御による被反射面の照度を精度よく目標照度に維持することができる。
【発明の効果】
【００３３】
以上説明したように、本発明では、照度センサの測定レンジが意図しない測定レンジに切り替わることはなく、適切な測定レンジに設定でき、さらにはレイアウト変更等による被照射面の反射率の変化が生じても被照射面の明るさを一定に制御することができるという効果がある。
【発明を実施するための最良の形態】
【００３４】
以下、本発明の実施の形態を図面に基づいて説明する。
【００３５】
（実施形態１）
本実施形態の照明制御装置１は天井面に設置されており、図１に示すように、制御部１ａと、照度センサ１ｂと、記憶部１ｃと、光源１ｄと、点灯回路１ｅと、操作部１ｆとを備える。
【００３６】
そして、照度センサ１ｂは、固有の光学系を有して一定の視野の照度を常時測定し、測定した照度を電圧信号に変換して制御部１ａへ連続してセンサ電圧として出力する。この電圧信号は、照度から一意に決定され、照度と略比例の関係にある。ここで、図２において天井面Ｂに設置した照明制御装置１の真下には机上面、床面などの被照射面Ｆがあり、照度センサ１ｂには、光源１ｄから出力された光の被照射面Ｆでの反射光以外に、窓を通して入り込む昼光などの外光の被照射面Ｆでの反射光も入射されて、被照射面Ｆの照度を反射光により検出する。
【００３７】
制御部１ａは、照度センサ１ｂからのセンサ電圧を増幅する増幅回路１ｇと、照明制御の目標照度となる照度センサ１ｂの出力電圧（目標センサ電圧）を計算する演算部１ｈと、照度センサ１ｂの測定レンジを設定する測定レンジ設定部１ｉと、光源１ｄに調光制御のためのＰＷＭ信号を出力する調光信号出力部１ｊとを備え、演算部１ｈと測定レンジ設定部１ｉとはＣＰＵ１ｋで構成されている。
【００３８】
記憶部１ｃは、ＥＥＰＲＯＭのような不揮発性メモリで構成され、ＣＰＵ１ｋからの各データ、設定値を記憶する。
【００３９】
点灯回路１ｅは、商用電源ＡＣを入力として、ＰＷＭ信号に応じた点灯電力を光源１ｄへ供給しており、光源１ｄは、例えば１乃至複数の蛍光灯で構成される。
【００４０】
操作部１ｆは、ユーザが操作することで、ＣＰＵ１ｋの動作を通常モードまたは測定レンジ設定モードに切り替えるスイッチで構成され、部屋の壁面等に設けられる。
【００４１】
以下、本実施形態の照明制御装置１の各モードでの動作について説明する。まず、通常モードにおいて、制御部１ａのＣＰＵ１ｋは、昼夜を問わず、増幅回路１ｇを介した照度センサ１ｂのセンサ電圧が、演算部１ｈで演算した目標センサ電圧となるように光源１ｄへ供給する点灯電力を制御する。すなわち、照度センサ１ｂのセンサ電圧に基づいて被照射面の照度が略一定となるように光源１ｄへの供給電力を制御するのである。この目標センサ電圧は、上記背景技術と同様に、通電期間毎に
［演算最小値］＝Ｍｉｎ［センサ電圧／点灯電力］
を計算して記憶部１ｃに格納し、次回の電源投入時にこの演算最小値および明るさフィードバック制御上限値に基づいて、
［目標センサ電圧］＝Ｍｉｎ［センサ電圧／点灯電力］×[明るさフィードバック制御上限値]
を計算することで求められる。なお、明るさフィードバック制御上限値の特性は記憶部１ｃに格納されており、この特性および目標センサ電圧の計算については、上記背景技術にて詳述しており、説明は省略する。
【００４２】
ここで、照度センサ１ｂは、測定した照度に略比例した電流を出力する照度測定部１ｍと、照度測定部１ｍの出力電流を電圧に変換するとともに、複数の測定レンジを切り替える測定レンジ切替部１ｎとで構成されており、この測定レンジは、以下説明する測定レンジ設定モードにおいて設定される。
【００４３】
電源を最初に投入する出荷時状態、またはレイアウト変更等により被照射面の反射率が変わった場合、ユーザは夜間に操作部１ｆを操作して測定レンジ設定モードに切り替える。測定レンジ設定モードにおいて、測定レンジ設定部１ｉは、そのときの累積点灯時間に応じた明るさフィードバック制御上限値に点灯電力を制御して光源１ｄを点灯させ、このときの照度センサ１ｂのセンサ電圧が制御部１ａに入力される。
【００４４】
測定レンジ切替部１ｎは、図３に示すように、照度測定部１ｍと制御部１ａとを接続する信号経路とグランドレベルとの間に、抵抗Ｒ１とトランジスタＱ１との直列回路、抵抗Ｒ２とトランジスタＱ２との直列回路、抵抗Ｒ３とトランジスタＱ３との直列回路を各々接続し、信号経路の制御部１ａ側には抵抗Ｒ０を挿入している。トランジスタＱ１〜Ｑ３は、制御部１ａの測定レンジ設定部１ｉによって各々がオン・オフ制御され、
測定レンジＲＡ１：トランジスタＱ１のみがオン
測定レンジＲＡ２：トランジスタＱ１，Ｑ２がオン
測定レンジＲＡ３：トランジスタＱ１，Ｑ２，Ｑ３がオン
の３つの測定レンジに切り替えられる。
【００４５】
図４は、測定レンジＲＡ１，ＲＡ２，ＲＡ３の各特性を示し、測定レンジＲＡ１，ＲＡ２，ＲＡ３における照度の測定上限値Ｉ１，Ｉ２，Ｉ３はＣＰＵ１ｋの電源電圧Ｖｃｃで制限され、Ｉ１＜Ｉ２＜Ｉ３となる。
【００４６】
そして、測定レンジ設定モードに切り替えた直後、測定レンジ設定部１ｉは、トランジスタＱ１のみをオンして測定レンジＲＡ１に設定し、照度測定部１ｍの出力電流は抵抗Ｒ１で電圧に変換され、抵抗Ｒ１の両端電圧がセンサ電圧として制御部１ａに出力される。ＣＰＵ１ｋは、増幅部１ｇを介して受けたセンサ電圧をＡ／Ｄ変換した後、測定レンジ設定部１ｉにおいて、このセンサ電圧がＣＰＵ１ｋの電源電圧Ｖｃｃを超えていないかを判別する。センサ電圧がＣＰＵ１ｋの電源電圧Ｖｃｃを超えていなければ、測定レンジ設定部１ｉは、測定レンジ切替部１ｎを測定レンジＲＡ１に固定する。
【００４７】
測定レンジＲＡ１において、センサ電圧がＣＰＵ１ｋの電源電圧Ｖｃｃを超えていれば、測定レンジ設定部１ｉは、さらにトランジスタＱ２をオンして測定レンジＲＡ２に設定し、照度測定部１ｍの出力電流は抵抗Ｒ１，Ｒ２の並列回路で電圧に変換される。並列接続された抵抗Ｒ１，Ｒ２の合成抵抗は抵抗Ｒ１の抵抗より小さいので、測定レンジＲＡ２では、測定レンジＲＡ１より低いセンサ電圧が制御部１ａに出力される。測定レンジ設定部１ｉは、上記同様に、増幅部１ｇを介して受けたセンサ電圧がＣＰＵ１ｋの電源電圧Ｖｃｃを超えていないかを判別する。センサ電圧がＣＰＵ１ｋの電源電圧Ｖｃｃを超えていなければ、測定レンジ設定部１ｉは、測定レンジ切替部１ｎを測定レンジＲＡ２に固定する。
【００４８】
測定レンジＲＡ２において、センサ電圧がＣＰＵ１ｋの電源電圧Ｖｃｃを超えていれば、測定レンジ設定部１ｉは、さらにトランジスタＱ３をオンして測定レンジＲＡ３に設定し、照度測定部１ｍの出力電流は抵抗Ｒ１，Ｒ２，Ｒ３の並列回路で電圧に変換される。並列接続された抵抗Ｒ１，Ｒ２，Ｒ３の合成抵抗は抵抗Ｒ１，Ｒ２の合成抵抗より小さいので、測定レンジＲＡ３では、測定レンジ２より低いセンサ電圧が制御部１ａに出力される。測定レンジ設定部１ｉは、上記同様に、増幅部１ｇを介して受けたセンサ電圧がＣＰＵ１ｋの電源電圧Ｖｃｃを超えていないかを判別する。センサ電圧がＣＰＵ１ｋの電源電圧Ｖｃｃを超えていなければ、測定レンジ設定部１ｉは、測定レンジ切替部１ｎを測定レンジＲＡ３に固定する。
【００４９】
測定レンジ切替部１ｎは、上記のように固定したいずれかの測定レンジを、この環境条件下での固定測定レンジとして、不揮発性メモリで構成された記憶部１ｃに記憶させる。そして、ユーザが、操作部１ｆを再度操作して通常モードに切り替えると、ＣＰＵ１ｋは、電源投入毎に記憶部１ｃから固定測定レンジを読み出し、測定レンジ設定部１ｉはこの固定測定レンジに測定レンジ切替部１ｎを固定する。したがって、ユーザが操作部１ｆを操作して測定レンジ設定モードに切り替えない限り、測定レンジの切替が行われることはない。すなわち、従来のように電源投入時に意図しない測定レンジの切替が行われることはないのである。
【００５０】
そして、レイアウト変更等によって環境条件が変わった場合には、上記同様にユーザが操作部１ｆを操作して測定レンジ設定モードに切り替えて、測定レンジ設定部１ｉがその環境条件に適した測定レンジを判別し、固定測定レンジとして記憶部１ｃに記憶させる。すなわち、レイアウト変更等による被照射面の反射率の変化が生じても測定レンジの再設定が可能となり、適切な目標センサ電圧を設定できるのである。
【００５１】
なお、測定レンジ設定モードにおいて、測定レンジ３で出力されたセンサ電圧がＣＰＵ１ｋの電源電圧Ｖｃｃを超えていれば、ＣＰＵ１ｋは、この環境条件では明るさフィードバック制御を行うことができないと判断して、固定測定レンジ無しの情報を記憶部１ｃに記憶させる。そして、ユーザが、操作部１ｆを操作して通常モードに切り替えると、ＣＰＵ１ｋは、電源投入毎に記憶部１ｃから固定測定レンジ無しの情報を読み出し、演算部１ｈは、所定の点灯電力（例えば１００％の点灯電力）を光源１ｄへ供給するように制御する。
【００５２】
また本実施形態では、測定レンジ設定モードにおいて、累積点灯時間に応じた明るさフィードバック制御上限値に点灯電力を制御して光源１ｄを点灯させた状態で、電源電圧Ｖｃｃ以下で最も大きいセンサ電圧が出力される測定レンジを固定測定レンジとしている。したがって、目標センサ電圧を十分高い電圧値に設定できるので、通常モードにおいて、目標センサ電圧付近のセンサ電圧が十分高い電圧値となり、センサ電圧のＳ／Ｎ比を高くして制御の分解能を十分に確保でき、明るさフィードバック制御による被反射面の照度を精度よく目標照度に維持することができる。
【００５３】
（実施形態２）
本実施形態の照明制御装置の構成は、実施形態１と同様に図１〜図４で示され、同様の構成には同一の符号を付して説明は省略する。
【００５４】
通常モード時に、センサ電圧が固定測定レンジの測定上限値を超えた場合、すなわちセンサ電圧が電源電圧Ｖｃｃを超えた場合、外光などの外部光源によって固定測定レンジの測定可能範囲をオーバする照度になっているとみなし、演算部１ｈは、この期間の演算値の計算を停止する。これは、外光が多過ぎる場合、演算値も当然大きな値になってしまうので、もし、この演算値を基に次回の通電期間の目標センサ電圧が設定されると、目標センサ電圧も大きな値になってしまい、必要以上に点灯電力が大きくなって明るさフィードバック制御に支障をきたしてしまう。
【００５５】
そこで、本実施形態では、通常モード時にセンサ電圧が固定測定レンジの測定上限値を超えた場合、演算値の計算を停止することで、次回の電源投入時に不適切な目標センサ電圧が設定されることを防止している。
【００５６】
（実施形態３）
本実施形態の照明制御装置の構成は、実施形態１と同様に図１、図２で示され、同様の構成には同一の符号を付して説明は省略する。
【００５７】
本実施形態では、照度センサ１ｂの測定レンジ切替部１ｎは５つの測定レンジＲＡ１〜ＲＡ５を切り替え可能に構成され、図５に示すように、測定レンジＲＡ１〜ＲＡ５における照度の測定下限値は０（ｌｘ）であり、測定上限値Ｉ１〜Ｉ５はＣＰＵ１ｋの電源電圧Ｖｃｃで制限されて、Ｉ１＜Ｉ２＜Ｉ３＜Ｉ４＜Ｉ５となる。
【００５８】
そして、測定レンジ設定モードにおいて固定測定レンジを決定する際に、測定レンジ設定部１ｉは、そのときの累積点灯時間に応じた明るさフィードバック制御上限値に点灯電力を制御して光源１ｄを点灯させ、このときの照度センサ１ｂのセンサ電圧が制御部１ａに入力される。そして、レンジＲＡ１，レンジＲＡ２ではセンサ電圧がＣＰＵ１ｋの電源電圧Ｖｃｃを超えている場合、測定レンジＲＡ３，ＲＡ４，ＲＡ５のうちいずれかが固定測定モードに設定されるのであるが、本実施形態では、センサ電圧が、測定上限値と測定下限値の中心値近傍となる測定レンジに設定される。すなわち、測定レンジ設定モードにおけるセンサ電圧が０．５×Ｖｃｃに最も近い測定レンジが固定測定レンジとなる。
【００５９】
したがって、目標センサ電圧の電圧レベル、目標センサ電圧の補正幅確保、センサ電圧のＳ／Ｎ比の点で最適な測定レンジを選択できるので、制御の分解能を十分に確保でき、明るさフィードバック制御による被反射面の照度を精度よく目標照度に維持することができる。
【図面の簡単な説明】
【００６０】
【図１】実施形態１の照明制御装置のブロック構成を示す図である。
【図２】同上の設置状態を示す図である。
【図３】同上の照度センサの構成を示す図である。
【図４】同上の照度センサの測定レンジを示す図である。
【図５】実施形態３の照明制御装置の測定レンジを示す図である。
【図６】従来の照明装置の設置状態を示す図である。
【図７】同上のブロック構成を示す図である。
【図８】同上のセンサ電圧と点灯電力との関係を示す図である。
【図９】従来の照明制御装置のブロック構成を示す図である。
【図１０】（ａ）〜（ｃ）同上の光束減退を補正する明るさフィードバック制御上限値を示す図である。
【図１１】同上の照度センサの測定レンジを示す図である。
【図１２】従来の照度センサの測定レンジを示す図である。
【符号の説明】
【００６１】
１  照明制御装置
１ａ  制御部
１ｂ  照度センサ
１ｃ  記憶部
１ｄ  光源
１ｅ  点灯回路
１ｆ  操作部
１ｈ  演算部
１ｉ  測定レンジ設定部
１ｎ  測定レンジ切替部
【図１】
2008010202.tif 000003
【図２】
2008010202.tif 000004
【図３】
2008010202.tif 000005
【図４】
2008010202.tif 000006
【図５】
2008010202.tif 000007
【図６】
2008010202.tif 000008
【図７】
2008010202.tif 000009
【図８】
2008010202.tif 000010
【図９】
2008010202.tif 000011
【図１０】
2008010202.tif 000012
【図１１】
2008010202.tif 000013
【図１２】
2008010202.tif 000014